(57)【特許請求の範囲】
【請求項１】
置物・室内装飾品となるように、ヤシ殻活性炭（３）の塊の表面を固化させて形成した外殻（２）と、
該外殻（２）内に充填したヤシ殻活性炭（３）と、
前記外殻（２）の一部に開けた孔に嵌め込んだ吸込口（４）と、
を備えた、ことを特徴とする置物・室内装飾品型脱臭剤。
【請求項２】
置物・室内装飾品となるように外殻（２）を形成し、
該外殻（２）内にヤシ殻活性炭（３）を充填し、
該ヤシ殻活性炭（３）を充填した前記外殻（２）を乾燥させるために焼成し、
該ヤシ殻活性炭（３）が完全に乾燥した後、前記外殻（２）の周縁に前記ヤシ殻活性炭（３）を包むように張り合わせ、
該外殻（２）に置物・室内装飾品としての着色処理をする、ことを特徴とする置物・室内装飾品型脱臭剤の製造方法。
【請求項３】
前記外殻（２）を、ヤシ繊維屑に水分を加えて粘土状にした後、所定の型枠に入れて押し固めることにより形成する、ことを特徴とする請求項２の置物・室内装飾品型脱臭剤の製造方法。
【発明の詳細な説明】
【０００１】
【発明の属する技術分野】
本発明は、ヤシ殻活性炭を使った脱臭剤に係り、特にその充填するケースを天然材で形成すると共に、置物・インテリアとして使用することができる置物・室内装飾品型脱臭剤及びその製造方法に関するものである。
【０００２】
【従来の技術】
従来より、ヤシ殻活性炭等を使った脱臭剤は多数提案されている。この脱臭剤は孔を多数開けたプラスチック製の箱状のケース内にヤシ殻活性炭を充填したものである。この脱臭剤は、例えば冷蔵庫内に入れて、庫内の悪臭をヤシ殻活性炭に吸着させ、脱臭に利用するものである。また、この脱臭剤は下駄箱に入れて悪臭を吸着するときにも利用する。この種の脱臭剤は、プラスチック製のケースがあるために、その使用後は燃えないゴミとして廃棄処理していた。
【０００３】
一方、居間や寝室、トイレには、脱臭というより芳香剤を置いて悪臭の緩和をしていた。この芳香剤には種々の花の香り等を濃縮し、又は昇華する物質に混ぜて、好みによりその放散量を調整していた。
【０００４】
【発明が解決しようとする課題】
しかし、上記従来の脱臭剤は、プラスチック製のケース部分があるために、廃棄処理の際にそのまま可燃物として焼却処理できず、プラスチック製のケース部分とヤシ殻活性炭とを分離してから廃棄処理しなければならず、煩雑な廃棄処理が必要であるという問題を有していた。
【０００５】
また、従来の脱臭剤は、箱型のプラスチック容器内にヤシ殻活性炭を充填したものであるために、エアコンの効いた部屋、煙草などの臭いが気になる閉めきった場所、居間や寝室には不向きであるという問題を有していた。
【０００６】
本発明は、上述した問題点を解決するために創案されたものである。すなわち本発明の目的は、冷蔵庫、トイレ、自動車内、居間又寝室等のエアコンの効いた部屋、煙草などの臭いが気になる閉めきった場所等にそれが脱臭剤と気付かれることなく置くことができる置物・室内装飾品型脱臭剤及びその製造方法を提供することにある。
【０００７】
【課題を解決するための手段】
本発明の脱臭剤によれば、置物・室内装飾品となるように、ヤシ殻活性炭（３）の塊の表面を固化させて形成した外殻（２）と、該外殻（２）内に充填したヤシ殻活性炭（３）と、前記外殻（２）の一部に開けた孔に嵌め込んだ吸込口（４）と、を備えた、ことを特徴とする置物・室内装飾品型脱臭剤が提供される。
【０００８】
本発明の脱臭剤の構成では、置物・インテリアとして使用できるため、あらゆる場所に置くことができる。冷蔵庫、トイレ、自動車内、エアコンの効いた部屋、煙草などの臭いが気になる閉めきった場所等、それが脱臭剤と気付かれることなく置くことができる。また、外殻（２）は、ペン立（５）や花瓶のような他の用途に同時に使用できる形状にすることができる。
更に、ヤシ殻活性炭（３）と外殻（２）の素材が共に天然材料であるので、脱臭剤の使用後に可燃物として焼却処理することができる。また、そのまま土に埋めれば自然に分解されるので、容易に廃棄処理することができる。
【０００９】
本発明の製造方法によれば、置物・室内装飾品となるように外殻（２）を形成し、該外殻（２）内にヤシ殻活性炭（３）を充填し、該ヤシ殻活性炭（３）を充填した前記外殻（２）を乾燥させるために焼成し、該ヤシ殻活性炭（３）が完全に乾燥した後、前記外殻（２）の周縁に前記ヤシ殻活性炭（３）を包むように張り合わせ、該外殻（２）に置物・室内装飾品としての着色処理をする、ことを特徴とする置物・室内装飾品型脱臭剤の製造方法が提供される。
【００１０】
前記外殻（２）は、ヤシ繊維屑に水分を加えて粘土状にした後、所定の型枠に入れて押し固めることにより形成する、ことが好ましい。
【００１１】
上記製造方法では、繊維屑がいわゆる粘土のような役割を果たすので、その形状はいかなるデザインにも対応でき、成型が容易であり、様々な置物・室内装飾品としての形状に形成することができる。脱臭剤にヤシ殻活性炭（３）を使い、外殻（２）に通常廃棄処分されるヤシ繊維の屑を用いるので安価な原材料費で脱臭剤を製造することができる。
【００１２】
【発明の実施の形態】
以下、本発明の置物・室内装飾品型脱臭剤の好ましい実施の形態を図面を参照して説明する。
図１はリンゴ型の置物・室内装飾品型脱臭剤を示す斜視図である。図２はリンゴ型の置物・室内装飾品型脱臭剤を示す縦断面図である。図３はペン立て型の置物・室内装飾品型脱臭剤を示す斜視図である。図４はペン立て型の置物・室内装飾品型脱臭剤を示す縦断面図である。
本発明の置物・室内装飾品型脱臭剤１は、置物・室内装飾品となるように形成した外殻２と、この外殻２内に充填した脱臭剤となるヤシ殻活性炭３と、外殻２の一部に開けた孔に嵌め込んで吸込口４と、を備えたものである。
【００１３】
本発明の外殻２は、ヤシ繊維屑のような天然材を置物・室内装飾品となるように形成したものである。この置物・室内装飾品は、図１と図２のリンゴ等の果物のような形状にしたもの、このリンゴ以外にも、バナナ、オレンジ、パパイヤ、その他のトロピカルフルーツの形状に形成することができる。更に、果物以外に野菜や人形等の種々の形状に形成することができる。
【００１４】
また、天然材から成る外殻２は、図３と図４のペン立５のような形状にし、他の用途に同時に使用できる形状にすることができる。ペン立５のような形状にしたものは、その上部にペンを入れる筒状部分を形成し、その下部に後述するような脱臭剤となるヤシ殻活性炭３を充填する空間を形成したものである。更に、花瓶のような形状にすることもできる。
【００１５】
本発明の置物・室内装飾品型脱臭剤１は、その使用後に可燃物として焼却処理することができるだけではなく、これをそのまま土に埋めれば自然に分解されるような天然材料であれば、ヤシ繊維屑に限定されない。例えば、おが屑を固めたものを利用することができる。
【００１６】
外殻２内に充填する脱臭剤となるヤシ殻活性炭３は、文字通りヤシ殻を蒸し焼きにした炭であり、吸着力の高いものである。この脱臭剤にはヤシ殻活性炭３以外の活性炭を用いることもできる。本発明のヤシ殻活性炭３は、図２の断面図に示すように、ヤシ殻活性炭３の層を内層部３ａとこのヤシ殻活性炭３より細かく粉砕した外層部３ｂの二重層の構造になっている。
【００１７】
外殻２の一部には、悪臭を吸い込むために、複数の透孔を有する吸込口４を嵌め込んである。この吸込口４は本発明の置物・室内装飾品型脱臭剤１がその外観を損なわないように、小さく形成し、かつ外殻２の着色と同じ色にすることが好ましい。更に、この吸込口４も可燃物として焼却処理でき、又は土に埋めれば自然に分解されるように木材等の天然材料で製造する。
【００１８】
このように構成した置物・室内装飾品型脱臭剤１は、置物・インテリアとして使用することができるので、冷蔵庫は勿論のこと、トイレ、自動車内、居間、寝室において、煙草などの臭いが気になる閉めきった場所の悪臭を吸着することができる。なお、居間や寝室のような広い空間では、置物・室内装飾品型脱臭剤１を恰もフルーツバスケットに果物を盛り付けるように複数個置くことによって十分に脱臭効果を上げることができる。あるいは、居間や寝室のような広い空間には、置物のように複数の置物・室内装飾品型脱臭剤１を並べて置くことにより、脱臭効果を上げることができる。
【００１９】
本発明の置物・室内装飾品型脱臭剤１は、ヤシ殻活性炭３と外殻２の素材が共に天然材料であるので、その使用後に可燃物として焼却処理することができる。また、そのまま土に埋めれば全体が自然に安全に分解されるので、容易に廃棄処理することができる。
【００２０】
図５は置物・室内装飾品型脱臭剤の製造方法を示すブロック図である。
次に、本発明の置物・室内装飾品型脱臭剤の製造方法を説明する。図１と図２に示すようなリンゴ型のものを製造するときは、先ず、略半球状のリンゴ型の型枠を準備する。脱臭剤となるヤシ殻活性炭と固化しやすいヤシ殻活性炭３の２種類を混ぜたものをこの型枠に充填する。この型枠に充填したヤシ殻活性炭３を２４時間程度オーブン等で焼成すると、その表面側に外殻２が形成される。
【００２１】
次に、完全な乾燥を確認した後、半球状の２つの外殻２と一体になったヤシ殻活性炭３を包むように張り合わせる。この時、後の塗装作業のために針金で中心に芯を入れる。その表面はサンドペーパーで滑らかにする。
【００２２】
このリンゴ型のものの表面は、白雲石から成る白色の塗料で着色する。その後、３時間程度外気にあてて乾燥させる。リンゴのデザインの彩色を施し、２時間乾燥させた後、スプレー塗装にて独特の光沢を出す。最後に、芯の針金を抜き、仕上げの塗装をする。品質チェックの後、箱詰めとなる。
【００２３】
図６は他の置物・室内装飾品型脱臭剤の製造方法を示すブロック図である。
図３と図４に示すようなペン立て型のものを製造するときは、上述した方法と若干異なる。外殻２としてヤシ繊維屑を用いることに特徴がある。
この製造方法では、先ず、ヤシ繊維屑を粘土状にし、ペン立て５の半分の型枠の壁面に、ペン入れ部分６とヤシ殻活性炭用の空間を有する外殻２が形成されるように貼り付ける。この外殻２の空間にヤシ殻活性炭３を充填して、これを２４時間程度オーブン等で型枠のまま焼成する。この焼成によって、粘土状のヤシ繊維屑が硬化してその後の塗装処理が容易になる。以下の張り合わせから塗装処理までは、前述したものと同様の方法で製造する。
【００２４】
本発明の製造方法では、繊維屑がいわゆる粘土のような役割を果たすので、その形状はいかなるデザインにも対応でき、容易に成型できる。そこで、様々な置物・室内装飾品としての形状にすることができる。脱臭剤にヤシ殻活性炭３を使い、外殻２に通常廃棄処分されるヤシ繊維の屑を用いるので安価な原材料費で脱臭剤を製造することができる。
【００２５】
なお、本発明は上述した発明の実施の形態に限定されず、置物・室内装飾品となるように形成した外殻２内にヤシ殻活性炭３を充填した構成であれば、図示したように果物、野菜、ペン立て、花瓶、人形の形状に限定されず、その他種々の形状の置物又は室内装飾品の形状にすることができ、本発明の要旨を逸脱しない範囲で種々変更できることは勿論である。
【００２６】
また、上述した製造方法に限定されず、型枠に入れたヤシ殻活性炭３を焼成して所定の形状に形成する製造方法であれば、本発明の要旨を逸脱しない範囲で種々変更できることは勿論である。
【００２７】
【発明の効果】
上述したように、本発明に係る置物・室内装飾品型脱臭剤は、置物・インテリアとして使用でき、あらゆる場所に置くことができる。特に、エアコンの効いた部屋、煙草などの臭いが気になる閉めきった場所等において、それが脱臭剤と気付かれることなく置くことができる。
【００２８】
また、ヤシ殻活性炭と外殻の素材が共に天然材料であるので、脱臭剤の使用後に可燃物として焼却処理することができる。あるいは、そのまま土に埋めれば自然に安全に分解され、容易に廃棄処理することができるので、環境に悪影響を及ぼすことがない。
【００２９】
置物・室内装飾品型脱臭剤の製造方法は、外殻はいかなるデザインにも対応することができるので、ペン立や花瓶のような他の用途に同時に使用できる形状にすることができる、等の効果がある。
【図面の簡単な説明】
【図１】  本発明のリンゴ型の置物・室内装飾品型脱臭剤を示す斜視図である。
【図２】  リンゴ型の置物・室内装飾品型脱臭剤を示す縦断面図である。
【図３】  ペン立て型の置物・室内装飾品型脱臭剤を示す斜視図である。
【図４】  ペン立て型の置物・室内装飾品型脱臭剤を示す縦断面図である。
【図５】  本発明の置物・室内装飾品型脱臭剤の製造方法を示すブロック図である。
【図６】  他の製造方法を示すブロック図である。
【符号の説明】
１  置物・室内装飾品型脱臭剤
２  外殻
３  ヤシ殻活性炭
３ａ  内層部
３ｂ  外層部
４  吸込口
５  ペン立
【図１】
0004048081.tif 000002
【図２】
0004048081.tif 000003
【図３】
0004048081.tif 000004
【図４】
0004048081.tif 000005
【図５】
0004048081.tif 000006
【図６】
0004048081.tif 000007